(57)【要約】【課題】  建設現場に取付けられて作業者が上り下りすることが出来るスロープであって、安定した配置が可能で作業台車の脱輪を防止し、一方では階段としての利用も出来るスロープの提供。【解決手段】  スロープは上支持部材６、上支持補助部材７、下支持部材４、及び下支持補助部材５が互いに連結した平行四辺形リンクから成る両側部フレーム１，１の間に複数枚のステップ板２，２・・を取付け、一直線をなして延びる下支持部材４と下支持補助部材５の上側には同じく一直線を成して延びる上支持部材６と上支持補助部材７を重ね合わせ、ステップ板２，２・・の両側には概略Ｌ形支持板８，８を取着してＬ形支持板８の水平部先端を下支持部材４にピン１０を介して軸支し、Ｌ形支持板８の垂直部先端を上支持部材６にピンを介して軸支し、上支持補助部材７の先端には足場フレームを構成するパイプ１３と係合する係止金具３を取付け、さらに上支持補助部材７と上支持部材６との間には傾斜角度調整装置１６を設けている。【選択図】    図１
2007162258.tif 000002
【特許請求の範囲】
【請求項１】
建設現場に取付けられて作業者が上り下りすることが出来るスロープにおいて、該スロープは上支持部材、上支持補助部材、下支持部材、及び下支持補助部材が互いに連結した平行四辺形リンクから成る両側部フレームの間に複数枚のステップ板を取付け、一直線をなして延びる下支持部材と下支持補助部材の上側には同じく一直線を成して延びる上支持部材と上支持補助部材を重ね合わせ、ステップ板の両側には概略Ｌ形支持板を取着してＬ形支持板の水平部先端を下支持部材にピンを介して軸支し、Ｌ形支持板の垂直部先端を上支持部材にピンを介して軸支し、ステップ板は下支持補助部材とその他適当箇所にＬ形支持板を介して取付け、そして上支持補助部材の先端には足場フレームを構成するパイプと係合する係合穴を形成した係止金具を取付け、さらに上支持補助部材と上支持部材との間には傾斜角度調整装置を設けたことを特徴とする建設現場で使用するスロープ。
【請求項２】
上記傾斜角度調整装置は、上支持補助部材に取付けられて少なくとも一部外周に歯を形成すると共にアームを延ばした回転部材と、調整ネジに螺合して回転に伴って昇降動する昇降部材を有し、昇降部材とアーム先端は連結し、上支持部材には回転部材の歯に係合して回転を阻止するロック部材を揺動可能に取付け、上記回転部材の回転と共に上支持部材が上支持補助部材との連結軸を中心に屈曲するように互いに連結した請求項１記載の建設現場で使用するスロープ。
【請求項３】
上記ロック部材にはレバー操作にてスライドする連結部材を連結した請求項２記載の建設現場で使用するスロープ。
【発明の詳細な説明】
【技術分野】
【０００１】
本発明は建設現場において、作業者が歩く為に高低差に跨って掛架するスロープであって、特に階段としての機能を備えたスロープに関するものである。
【背景技術】
【０００２】
建設現場では多くの高低差があり、この高低差の存在するところを作業者は歩き、また台車を押して移動しなくてはならない。そこで、この高低差のある両箇所に跨ってスロープが掛架され、該スロープ上を歩くことが出来ると共に作業用台車を移動することが出来る。
【０００３】
ところで、従来のスロープとしては木製の長い板材を使用するのが一般的である。所定の厚みと幅を有す細長い板材である為に、その両端を高低差のある箇所に設置した状態で掛架するだけであるが、該スロープは安定しない。すなわち、作業現場では両高低箇所が凹凸面と成っている場合が多く、その為に板材を傾斜して配置するだけでは安定しない。又、上に載っても折れないだけの強度が必要である為に板材の厚さは比較的大きくなり、重量も必然的に大きくなって取扱いにくい。
【０００４】
特開２００４−１５８２９５号に係る「スロープ」はコンパクトな形態で多層建築物などの建築物に効率的に配置することが出来、建築計画上の融通性に優れたスロープである。又、特開平９−１３６８４号に係る「天端保護具」は、スロープ用のブロックを走行して基礎内の作業用ブロックに作業用車両が乗り入れる際に、タイヤが損傷しないようにしている技術であり、本発明が対象としている内容のものとはかけ離れている。
【特許文献１】特開２００４−１５８２９５号に係る「スロープ」
【特許文献２】特開平９−１３６８４号に係る「天端保護具」
【発明の開示】
【発明が解決しようとする課題】
【０００５】
このように、建設現場で使用される従来のスロープには上記のごとき問題がある。本発明が解決しようとする課題はこの問題点であり、安定して掛架することが出来ると共に、作業台車が移動中に脱輪することなく、一方では作業用の階段としても利用することが出来る建設作業用のスロープを提供する。
【課題を解決するための手段】
【０００６】
本発明に係るスロープは下支持部材、下支持補助部材、上支持部材、及び上支持補助部材が連結して側部フレームを構成し、所定の間隔をおいた両側部フレーム間には複数枚のステップ板が取付けられている。ステップ板の両側には概略Ｌ形支持具が取着され、該概略Ｌ形支持具の水平部先端が下支持部材に軸支されると共に垂直部材の先端が上支持部材に軸支されている。
【０００７】
そこで、各ステップ板は下支持部材及び下支持補助部材と同一面に位置し、上支持部材及び上支持補助部材はステップ板から突出した状態にある。そして、上支持補助部材には係止金具が取着され、係止金具先端には丸パイプに係合し得る係合穴を形成している。ところで、上記下支持部材、下支持補助部材、上支持部材、及び上支持補助部材が連結して構成される側部フレームは、上支持部材と下支持部材を離すことで平行四辺形が形成され、上支持部材と下支持部材間にＬ形支持板を介して取付けられた各ステップ板は互いに平行となる。
【０００８】
従って、下支持補助部材と同一面に取着される最下端のステップ板を床面に当接するならば、全てのステップ板は水平に成って、ステップ(階段)を形成することに成る。さらに上支持部材と上支持補助部材との境界部には上支持部材と上支持補助部材の交差角(階段の傾斜角度)を調整する為の角度調整装置が備わっている。
【発明の効果】
【０００９】
本発明の建設現場で使用するスロープは、作業現場の足場フレームを構成するパイプに係止金具を係止することで、該スロープを安定して取付けることが出来る。そして、複数枚のステップ板は下支持部材と同一面に配列することで、この上を作業者は歩くことが出来、又作業用台車が移動することが出来る。しかも、上支持部材及び上支持補助部材はステップ板から上方へ突出することで、ガードとして機能する為に、作業台車の車輪がスロープから脱輪することはない。
【００１０】
一方、本発明のスロープは下支持部材、下支持補助部材、上支持部材、及び上支持補助部材を開くことで平行四辺形が形成され、各ステップは上下支持補助部材と平行と成る。従って、下支持補助部材を床面に設置することで簡易式の階段が構成され、必要な箇所に配置することで作業者は階段として利用することが可能と成る。
【実施例】
【００１１】
図１は本発明に係る建設現場で使用するスロープを示す実施例であり、同図の１は側部フレーム、２はステップ板、３は係止金具をそれぞれ表している。側部フレーム１は両側に位置してその間には複数枚のステップ板２，２・・が取付けられており、全体としては長方形の板状体を構成している。同図に示すステップ板２，２・・は４枚であるが、この枚数は限定しない。
【００１２】
上記側部フレーム１は下支持部材４、下支持補助部材５、上支持部材６、及び上支持補助部材７が互いに連結し、下支持部材４と上支持部材６の長さは等しく、又下支持補助部材５と上支持補助部材７の長さも等しくなっている為に、同図のように重なり合っている。すなわち、下支持部材４、下支持補助部材５、上支持部材６、及び上支持補助部材７で構成される平行四辺形が折畳まれた状態にある。
【００１３】
ステップ板２，２・・の両側には概略Ｌ形支持板８，８・・が取着されていて、このＬ形支持板８の水平部９の先端が下支持部材４にピン１０を介して連結され、一方、Ｌ形支持板８の垂直部１１の先端が上支持部材６にピン１０を介して連結している。そして、最下端のステップ板２を取付けるＬ形支持板８は下支持補助部材５と重なり合っている。
【００１４】
ここで、Ｌ形支持板８の形状は下支持補助部材５とほぼ同一となっており、該下支持補助部材５が下支持部材４と連結する軸１２及び上支持部材６と連結する軸１２の位置関係はＬ形支持板８が取着される両ピン１０，１０の位置関係と同一である。そして、各ステップ板２，２・・は下支持部材４と同一面上にあって、下支持部材４の上方に重なり合っている上支持部材６及び上支持補助部材７は一種のガードとしてステップ板２，２・・の上面から起立することに成っている。
【００１５】
ところで、図２に示すように、両上支持補助部材７，７に取付けられている係止金具３，３を足場フレームのパイプ１３に係止することでスロープとして使用することが出来る。この場合、作業台車を押して移動する際に両側の上支持部材６，６及び上支持補助部材７，７は、ステップ板上面から突出することで、ガードとして機能し、車輪の脱輪を防止することが出来る。
【００１６】
又、上記係止金具３は円形の係合穴１４が形成されていることで、丸パイプ１３に嵌って係合すると共に、スロープの傾斜角度が如何様であっても係合することが可能となる。そして、係止金具３はアーム１４を有して上支持補助部材７から出し入れ可能な状態で取付けられている。
【００１７】
図３は本発明に係るスロープを階段として機能させた場合を示している。上支持部材６と下支持部材４を開くことで、側部フレーム１は同図に示すような平行四辺形が形成され、その結果、上支持部材６と下支持部材４との間に跨って取付けられているステップ板２，２・・は上支持補助部材７と下支持補助部材５と平行に配列される。そこで、下支持補助部材５を床面に当接して起立させるならば、各ステップ板２，２・・は床面と平行となって、階段として上り下りすることが出来る。
【００１８】
このように階段として使用する場合にも、上支持補助部材７に取着されている係止金具３がパイプ１３に係止して支えられ、スロープとして使用する場合と同じである。同図に示すように階段として構成する場合、下支持補助部材５と共にステップ板２は床面に位置し、上支持補助部材７と同一高さにもステップ板２が位置し、下支持補助部材５と上支持補助部材７との間には２枚のステップ板２，２が一定間隔をおいて配置されている。
【００１９】
図４は階段の傾斜角度を違わせた場合であり、前記図３の階段は４５°の傾斜で傾いているが、図４の階段は３０°の傾斜を持っている。ところで、この傾斜角度は上支持部材６と上支持補助部材７との間に設けている傾斜角度調整装置１６にて調整・設定される。
【００２０】
図５は上記角度調整装置１６を表している具体例であり、上支持補助部材７と上支持部材６とが一直線に延びて図１に示すスロープとして使用される状態である。上支持補助部材７には回転部材１７が取付けられ、回転部材１７の外周一部には複数の歯１８，１８・・が一定ピッチで形成され、又回転部材１７からはアーム１９が延びている。
【００２１】
そして、上支持補助部材７には調整ネジ２０が起立し、その頭部２１は上支持補助部材７の上面に突出して回転自在に取付けられている。この調整ネジ２０には昇降部材２２が螺合し、該昇降部材２２は上記回転部材１７から延びているアーム１９の先端とピン２３を介して連結している。そこで、頭部２１を回転するならば、調整ネジ２０が回ることで昇降部材２２は昇降してアーム１９が揺動する。従って、回転部材１７は調整ネジ２０の頭部２１を回すことで回転することが出来る。
【００２２】
ところで、上記回転部材１７は上支持補助部材７と上支持部材６が連結する軸と同軸をなし、しかも回転部材１７は上支持部材６と連結している為に、回転部材１７の回転は上支持部材６を揺動させることに成る。すなわち、回転部材１７が回転することで上支持部材６が揺動して側部フレーム１は平行四辺形となり、前記図３に示す階段が構成され、又図４に示すように傾斜角度が異なる階段となる。
【００２３】
ところで、回転部材１７が回転して図３に示す階段を構成したところで、階段の傾斜角度が変動しないように該回転部材１７はロックされる。その為に、上支持部材６にはロック部材２４が取着され、該ロック部材２４が回転部材１７の歯１８，１８・・と係合することで回転部材１７の回転がロックされる構造となっている。
【００２４】
ロック部材２４は軸２５に軸支されて揺動可能であり、その先端にはピン２６を介して軸方向にスライドする連結部材２７の下端と連結し、連結部材２７の上端はレバー２８と連結している。レバー２８はピン２９を中心に揺動することが出来、該レバー２８を起立するならば連結部材２７は上昇してロック部材２４は軸を中心として反時計方向に回転する。
【００２５】
図６はレバー２８を起立させた場合であり、ピン２９を中心としてレバー２８が揺動して起立するならば、レバー２８の滑らかな曲面で形成している基部が上支持部材６の上面３０に当って連結部材２７を引き上げる為に、ロック部材２４は軸２５を中心に揺動することが出来る。階段の角度を調整する場合には図６に示すようにロック部材２４を解除した状態で行い、所定の傾斜角度になったところで該レバー２８を倒してロック部材２４を回転部材１７の歯１８に係合することが出来る。
【００２６】
一方、上支持補助部材７の先端には係止金具３が取付けられ、該係止金具３にはパイプ１３が嵌合する係合穴１４を形成している。そして、係止金具３には補助ツメ３１が取付けられ、係合穴１４に嵌ったパイプ１３が外れないように成っている。すなわち、補助ツメ３１にはＬ形溝３２と長溝３３が形成され、両溝３２，３３にはピン３４，３４が遊嵌している。
【００２７】
図５に示している補助ツメ３１は降下し状態で、係合穴１４の入口を縮小してパイプ１３は係合穴１４から外れることが出来ない。パイプ１３から係止金具３を外すときには上記補助ツメ３１を持ち上げて係合穴１４の入口を開くことが出来る。すなわち、両ピン３４，３４をガイドとして長溝３３の長さ分だけ補助ツメ３１を持ち上げ、さらにＬ形溝３２に沿って移動することで該補助ツメ３１は揺動して、先端部が大きく開口する。
【００２８】
補助ツメ３１は自重にて降下する為に、係合穴１４にパイプ１３が嵌ったならば、係合穴１４の入口は独りでに縮小してパイプ１３が離脱しないようになる。そして、係合穴１４は円形穴であるために、パイプ１３が嵌った状態でスロープの傾きが如何様であっても問題はない。
【図面の簡単な説明】
【００２９】
【図１】本発明に係るスロープを表す実施例。
【図２】スロープの使用態様。
【図３】スロープを階段として使用する場合。
【図４】スロープを階段として使用する場合。
【図５】傾斜角度調整装置を示す実施例。
【図６】傾斜角度調整装置に備えているロック部材を解除した場合。
【符号の説明】
【００３０】
１  側部フレーム
２  ステップ板
３  係止金具
４  下支持部材
５  下支持補助部材
６  上支持部材
７  上支持補助部材
８  Ｌ形支持板
９  水平部
10  ピン
11  垂直部
12  軸
13  パイプ
14  係合穴
15  アーム
16  傾斜角度調整装置
17  回転部材
18  歯
19  アーム
20  調整ネジ
21  頭部
22  昇降部材
23  ピン
24  ロック部材
25  軸
26  ピン
27  連結部材
28  レバー
29  ピン
30  上面
31  補助ツメ
32  Ｌ形溝
33  長溝
【図１】
2007162258.tif 000003
【図２】
2007162258.tif 000004
【図３】
2007162258.tif 000005
【図４】
2007162258.tif 000006
【図５】
2007162258.tif 000007
【図６】
2007162258.tif 000008